(57)【要約】【課題】床構造デッキプレートの切断工事にて使用する溶接火花の養生装置として、少ない部品数にて、容易に組立てることができ、かつ適用範囲が広い、溶接火花の養生装置を提供することを課題とする。【解決手段】溶接火花の養生装置であって、前記床構造デッキプレートの下面に当接させる火花受け部と、直下階の床上に設置され、前記火花受け部を下方側から支える気圧ホイストと、を備え、気圧ホイストは、材軸方向に伸縮する筒状体と、当該筒状体の最上端に取り付けられた水平受け部を有しており、前記火花受け部と前記水平受け部がボルト接合されていることを特徴とする。【選択図】図１
2017136608.tif 000002
【特許請求の範囲】
【請求項１】
床構造デッキプレートの切断工事において、切断部分から直下階に飛び散る溶接火花の養生装置であって、
前記床構造デッキプレートの下面に当接させる火花受け部と、
直下階の床上に設置され、前記火花受け部を下方側から支える気圧ホイストと、を備え、
気圧ホイストは、材軸方向に伸縮する筒状体と、当該筒状体の最上端に取り付けられた水平受け部を有しており、
前記火花受け部と前記水平受け部がボルト接合されていることを特徴とする溶接火花の養生装置。
【請求項２】
前記火花受け部は、前記気圧ホイストに加えて、直下階の床上に立設された補助支持体で支えられているとともに、当該火花受け部は洗い桶形状の鋼製材で形成されていることを特徴とする請求項１に記載の溶接火花の養生装置。
【発明の詳細な説明】
【技術分野】
【０００１】
本発明は、床構造デッキプレートに床開口部を設ける際のデッキプレートの切断工事において、切断部分から下層階に飛び散る溶接火花の養生装置に関するものである。
【背景技術】
【０００２】
建物の建設工事では、一旦、コンクリート造、または鋼製のデッキプレートによって床スラブを構築した後、その構築された床スラブの一部分に開口部を設け、その開口部を通して、当該階の設備配管等を上下階側に延伸させる場合が多い。
具体的には、コンクリート造の床スラブに開口部を設ける場合は、粉塵が発生し、コンクリートガラが飛散等することはあるが、溶接火花が飛散することはなく、溶接火花の養生は不要であった。
しかし、床構造デッキプレートの切断工事においては、鋼材を切断する際に、溶接火花が発生するために火災防止の観点から、２人１組で、施工階と、その直下階に建設作業員が配置された状態で、デッキプレートに対する切断作業と、切断作業に伴う火花養生が行われてきた。
上記のような状況を踏まえて、床構造デッキプレートの切断工事を対象として、溶接火花を生じさせない切断装置、または溶接火花を飛散させない養生方法が開発されてきた。
例えば、特許文献１には、溶接作業現場の状況に合わせて、耐火シートが張られた火花受け部を傘状に展開させることで、周囲に飛散する溶接火花を補足する溶接火花の養生装置が開示されている。火花受け部は、伸縮自在な棒状本体に耐火シートが展張されたもので、作業スペースの状況に合わせて、耐火シートを折り畳んで収納可能である。しかしながら、特許文献１の溶接火花の養生装置は、床面の上方に溶接個所がある場合は、火花受け部を構成する棒状本体のフック部を溶接部付近に設ける必要があり、床構造を切断する際に飛散する溶接火花については、捕捉することは困難であった。
また、特許文献２には、火花を発生することなく、デッキプレートが切断できるデッキプレート切断装置が開示されている。しかしながら、特許文献２のデッキプレート切断装置は、構成する部品数が多く、かつサイズも大規模であり、小規模な建設現場では、切断範囲が狭い上に、切断箇所数も少ないので、使い勝手が悪いという、問題点があった。
【先行技術文献】
【特許文献】
【０００３】
【特許文献１】特開２００８−２２９６８５号公報
【特許文献２】特開２００２−３８７１９号公報
【発明の概要】
【発明が解決しようとする課題】
【０００４】
上記に述べた問題点を踏まえて、本発明は、床構造デッキプレートの切断工事にて使用する溶接火花の養生装置として、少ない部品数にて、容易に組立てることができ、かつ適用範囲が広い、溶接火花の養生装置を提供することを課題とする。
【課題を解決するための手段】
【０００５】
第一の発明による溶接火花の養生装置は、床構造デッキプレートの切断工事において、切断部分から直下階に飛び散る溶接火花の養生装置（例えば、後述の溶接火花の養生装置１０）であって、前記床構造デッキプレート（例えば、後述のデッキプレート２０）の下面に当接させる火花受け部（例えば、後述の火花受け部３０）と、直下階の床上に設置され、前記火花受け部を下方側から支える気圧ホイスト（例えば、後述の気圧ホイスト４０）と、を備え、気圧ホイストは、材軸方向に伸縮する筒状体（例えば、後述の筒状体４１）と、当該筒状体の最上端に取り付けられた水平受け部（例えば、後述の水平受け部４２）を有しており、前記火花受け部と前記水平受け部がボルト接合されていることを特徴とする。
【０００６】
第一の発明によれば、当該階の床構造デッキプレートの直下階に、火花受け部の底面を下支えした気圧ホイストを設置し、床構造デッキプレートの切断中の開口部分に火花受け部を当接させることで、確実に溶接火花を養生することができる。
また、溶接火花の養生装置は、少ない部品数で構成され、かつ、デッキプレートの切断部分を包含するようにスラブ下面に火花受け部を当接させることができる。
本発明の溶接火花の養生装置は、少ない部品数で、かつ比較的に小型の部品サイズで構成されるために、小規模な建物における床構造デッキプレートの切断工事であっても設置可能であり、かつ低コストである。
また、直下階に設置された火花受け部を支える気圧ホイストは、床構造デッキプレートの切断工事を行う当該階よりリモコン操作によって気圧ホイストを構成する筒状体を伸縮させることで、気圧ホイストに接合された火花受け部を床構造デッキプレートの裏面に当接させることができる。
【０００７】
第二の発明による溶接火花の養生装置は、当該溶接火花の養生装置を構成する火花受け部は、気圧ホイストに加えて、直下階の床上に立設された補助支持体（例えば、後述の補助支持体５０）で支えられているとともに、当該火花受け部は洗い桶形状の鋼製材で形成されていることを特徴とする。
第二の発明によれば、前述の効果に加えて、火花受け部は、床構造デッキプレートの切断部分を包含しやすい、洗い桶形状の鋼製材で形成されているために、溶接火花を起因とした火災を防止することができる。
【発明の効果】
【０００８】
本発明によれば、床構造デッキプレートの切断工事において、切断部分から直下階に飛び散る溶接火花の養生装置として、少ない部品数にて、容易に組立てることができ、かつ適用範囲が広い、溶接火花の養生装置を提供することができる。また、本発明による溶接火花の養生装置を用いることで、低コストで、かつ安全性を確保した状態で、床構造の切断工事を行うことができる。
【図面の簡単な説明】
【０００９】
【図１】第一実施形態による溶接火花の養生装置の縦断図である。
【図２】第一実施形態の溶接火花の養生装置の一部拡大斜視図と説明図である。（ａ）火花受け部で、（ｂ）は火花受け部と気圧ホイストの接合部分の拡大図である。
【図３】第二実施形態による溶接火花の養生装置の一部拡大図である。
【発明を実施するための形態】
【００１０】
本発明は、床構造デッキプレートの切断工事において、切断部分から直下階に飛び散る溶接火花の養生装置であって、デッキプレートの切断部分を覆うように、当該デッキプレートの下面に火花受け部を当接させるものである。
第１実施形態の溶接火花の養生装置は、火花受け部を直下階の床上に設置された気圧ホイストのみで支えるものであり、第２実施形態は、火花受け部を気圧ホイスト、及び補助支持体で支えるものである。
以下、各実施形態について構成と、その作用効果を述べる。
【００１１】
＜第１の実施形態＞
図１に、床スラブの切断部分を覆うように設置する溶接火花の養生装置の縦断面図を示す。溶接火花の養生装置は、床構造デッキプレートに開口部を設けるために切断作業が行われる、その直下階に設置される。
溶接火花の養生装置１０は、図１に示すように、床構造デッキプレート２０の切断作業時に飛散する溶接火花の受け皿としての火花受け部３０と、その火花受け部の底面を、直下階の床面上に設置された気圧ホイスト４０で支える構成である。火花受け部３０は、図２に示すように、溶接火花を起因とした火災が発生することのないように鋼製材で形成され、その形状は床構造デッキプレートの切断部分を覆う状態で、下方側に溶接火花を受け止める空間を備えた洗い桶形状である。火花受け部は、鋼材を切断する際に飛び散る溶接火花を捕獲するための容器であり、０.８ｍｍ程度の鋼板が折り曲げ加工された、４００ｍｍ（Ｗ）×４００ｍｍ（Ｄ）×２００ｍｍ（Ｈ）相当、または８００ｍｍ（Ｗ）×４００ｍｍ（Ｄ）×２００ｍｍ（Ｈ）相当の洗い桶形状の鋼製材である。
気圧ホイスト４０は、図１、２に示すように、デッキプレートの切断工事が行われる、直下階の床面上に設置され、火花受け部を下方側から支持するものである。
具体的には、気圧ホイスト４０は、車輪付きの複数の脚部支持体４４と、その脚部支持体に接続された材軸方向に伸縮する筒状体４１と、筒状体の最上端に取り付けられた水平受け部４２で構成される。筒状体４１は、図２に示すように、火花受け部３０が上階の床スラブの下面に当接されるように上方側まで伸ばされるとともに、当該部分の切断を終えた後は、筒状体を縮めた後、次の鋼材切断箇所に対応した床スラブ上の位置まで、車輪が設けられた脚部支持体を移動させる。火花受け部３０は、底面の中央付近に複数のボルト孔部を設け、気圧ホイストの最上端に取り付けられた水平受け部４２との間で、ボルト４３をナットで締結させた。また、筒状体４１は、上階からリモコン操作により任意の高さ位置まで伸縮させた。
気圧ホイストは、作業現場において荷物を持ち上げ、特定の高さ位置で行う作業に用いられる市販のものを使用することができ、例えば、キシデン工業株式会社製の気圧ホイスト、ＬＭシリーズ、三陽機器株式会社製のＡＧＥ５６−１２等を用いることができる。
【００１２】
下記に、第１実施形態について、その作用、効果を述べる。
（１）火花受け部を鋼製材で形成することで、溶接火花を起因とした火災を防止することができる。
（２）気圧ホイストはリモコン操作で所定の高さ位置まで伸縮できるために、床構造デッキプレートの切断作業を行う直下階には、火花養生のための作業員を配置させる必要がない。
下記に、溶接火花の養生装置の使用方法を述べる。
先ず、始めに、溶接火花の養生装置は、床構造デッキプレートの切断作業を行う直下階の床面上に設置し、デッキプレートの切断部分を覆うように、火花受け部を床スラブの下面に当接させる。次に、溶接火花の養生装置が当接されたデッキプレート部分について、鋼材切断機を用いて切断作業を実施する。その後、デッキプレートの所定の切断部分について、切断を終えた後は、一旦、溶接火花の養生装置を構成する気圧ホイストを縮めて、次の切断箇所の直下まで移動させる。
そして、再度、気圧ホイストを伸ばして、デッキプレートの裏面に火花受け部を当接させた状態で、デッキプレートの切断作業を実施する。
以後、上記に述べたように、デッキプレートの裏面に溶接火花の養生装置を設置した後、デッキプレートを切断し、その後、次回切断箇所に、溶接火花の養生装置を移動させて、計画されたデッキプレートの切断作業を終える。
【００１３】
＜第２の実施形態＞
図３に、大きな溶接火花の受け皿部分（火花受け部）を備えた溶接火花の養生装置の説明図を示す。本第二実施形態の溶接火花の養生装置は、第一実施形態と同様の構成については、説明を割愛し、異なる構成、または作用効果のみを記載する。
火花受け部は、第１実施形態では、気圧ホイストを構成する筒状体に取り付けられた水平受け部を介して筒状体のみで支持していたが、本第２実施形態では、床スラブと火花受け部の密着度合いを高めるためと、大型の火花受け部であっても、密着出来るように、筒状体と複数の補助支持体で支持させた。火花受け部は、１２００ｍｍ（Ｗ）×６００ｍｍ（Ｄ）×２００ｍｍ（Ｈ）相当の洗い桶形状であり、当該火花受け部の底面を、気圧ホイストの最上端の水平受け部を介して、気圧ホイストを構成する筒状体と、複数の補助支持体で支える。火花受け部は、当該火花受け部の重心位置を筒状体で支え、筒状体の周囲の複数個所を補助支持体で支えるものである。補助支持体は筒状体で、伸縮可能な鋼管パイプである。
【００１４】
下記に、第２実施形態の作用、効果を述べる。
（１）火花受け部は、気圧ホイストの最上端に取り付けられた水平受け部と、その水平受け部を下方側から複数の補助支持体にて支持させることで、床スラブの裏面と火花受け部との間に隙間を生じさせることなく、床スラブの下面に火花受け部を密着させることができる。
（２）火花受け部が、気圧ホイストと、複数の補助支持体にて支持されていることで、デッキプレートの切断作業中に地震荷重を受けた場合でも、火花受け部の位置ずれや落下を防止することができる。
【００１５】
上記の各実施形態では、床構造デッキプレートの切断工事を対象とし、切断部分から直下階に飛び散る溶接火花の養生装置であった。しかし、窓枠周辺での鋼材切断作業においては、切断部分の先方側に飛び散る溶接火花の養生装置として、窓枠に添わせて、火花受け部を鉛直方向に配置しても良い。
【符号の説明】
【００１６】
１０  溶接火花の養生装置    ２０  デッキプレート    ２１  直下階の床スラブ  
３０  火花受け部            ４０  気圧ホイスト      ４１  筒状体 
４２  水平受け部            ４３  ボルト            ４４  脚部支持体
４５  車輪                  ４６  コンプレッサー    ５０  補助支持体
【図１】
2017136608.tif 000003
【図２】
2017136608.tif 000004
【図３】
2017136608.tif 000005